(57)【要約】      （修正有）【課題】ユーザの生活行動パターンの改善に有効な情報を提示可能な歩数計を提供する。【解決手段】歩数計は複数のボタンから構成される操作部２、一日の総歩数や時間帯ごとの歩数などの情報が表示される表示部６、表示部６の周囲に円状に配列されている複数の点灯部７が設けられている。前記点灯部７は２４個設けられており、０〜１時、１時〜２時・・・２２時〜２３時、２３時〜２４時というように、１日を１時間単位で区分した２４個の時間帯に対応付けられ、時間帯ごとの歩数を計測し、歩数が所定値以上の場合にその時間帯に対応する点灯部７を点灯させる。【選択図】図１
2007334790.tif 000002
【特許請求の範囲】
【請求項１】
時間帯ごとの歩数を計測する歩数計測手段と、
各時間帯に対応付けられている複数の点灯手段と、
ある時間帯の歩数が所定値以上の場合にその時間帯に対応する点灯手段を点灯させる点灯制御手段と、
を備えることを特徴とする歩数計。
【請求項２】
前記点灯手段はＬＥＤであることを特徴とする請求項１に記載の歩数計。
【請求項３】
前記複数の点灯手段が円状に配列されていることを特徴とする請求項１又は２に記載の歩数計。
【請求項４】
前記点灯手段は、複数種類の点灯状態をとり得るものであり、
前記点灯制御手段は、歩数に応じて前記点灯手段の点灯状態を変更することを特徴とする請求項１〜３のいずれかに記載の歩数計。
【請求項５】
ユーザに時間帯を指定させる指定手段と、
前記指定手段で指定された時間帯の歩数を表示する表示手段と、
をさらに備える請求項１〜４のいずれかに記載の歩数計。
【請求項６】
前記指定手段は、前記複数の点灯手段のうちのいずれかをユーザに選択させるものであることを特徴とする請求項５に記載の歩数計。
【発明の詳細な説明】
【技術分野】
【０００１】
本発明は、歩数計に関する。
【背景技術】
【０００２】
歩数計は、人体の振動などを検知することによって歩数を計測する装置であって、主に健康器具として利用されるものである。最近では、カウントした歩数から歩行距離、歩行速度、消費カロリーなどを算出し表示する機能をもつ歩数計もある。例えば、特許文献１では、一日の総歩数及び目標歩数までの残り歩数を表示する機能をもつ歩数計が提案されている。また特許文献２では、歩行速度の変化を棒グラフで表示する機能をもつ歩数計が提案されている。
【特許文献１】特開２００５−９２４９６号公報
【特許文献２】特開平５−１６４５７１号公報
【発明の開示】
【発明が解決しようとする課題】
【０００３】
生活習慣病の予防やダイエットの達成のためには、特別な運動メニューをこなしたりするよりも、日々の生活の中でよく歩く習慣を身につけること、すなわち生活行動パターンを改善することのほうが簡便であるし効果的でもある。
【０００４】
しかしながら、従来の歩数計では、一日分の総歩数や歩行速度が表示されるだけであったため、ユーザは自分自身の生活行動パターンの問題点（例えば、歩行する時間帯が偏っているとか、ほとんど歩行しない時間帯があるなど。）を把握することができなかった。
【０００５】
本発明は上記実情に鑑みてなされたものであって、その目的とするところは、ユーザの生活行動パターンの改善に有効な情報を提示可能な歩数計を提供することにある。
【０００６】
本発明のさらなる目的は、ユーザの生活行動パターンの改善に有効な情報として、時間帯ごとの歩行量（歩行の程度）をわかりやすく提示可能なインターフェイスを具備する歩数計を提供することにある。
【課題を解決するための手段】
【０００７】
上記目的を達成するために本発明は、以下の構成を採用する。
【０００８】
本発明に係る歩数計は、時間帯ごとの歩数を計測する歩数計測手段と、各時間帯に対応付けられている複数の点灯手段と、ある時間帯の歩数が所定値以上の場合にその時間帯に対応する点灯手段を点灯させる点灯制御手段と、を備える。
【０００９】
この構成によれば、ユーザは、各点灯手段の点灯状態を見るだけで、どの時間帯の歩行量が少ないかを直ちに把握できる。これにより、努めて歩くようにすべき時間帯が明確となるので、生活行動パターンの改善への取り組みが容易になる。
【００１０】
点灯手段としては種々のデバイスを利用可能であるが、コスト面からＬＥＤ（Light Emitting Diode；発光ダイオード）を用いることが有利である。
【００１１】
複数の点灯手段が円状に配列されていると、時間帯と点灯手段との対応関係を容易に把握できるため好ましい。
【００１２】
点灯手段として、複数種類の点灯状態をとり得るものを用いることも好ましい。この場合に、点灯制御手段が、歩数に応じて点灯手段の点灯状態を変更するとよい。この構成によれば、時間帯ごとの歩行量の大小も大まかに確認できるので、生活行動パターンの問題点をより正確に把握できるようになる。
【００１３】
歩数計が、ユーザに時間帯を指定させる指定手段と、前記指定手段で指定された時間帯の歩数を表示する表示手段と、をさらに備えることも好ましい。この構成によれば、より詳細な情報である時間帯ごとの歩数までも確認可能となる。
【００１４】
指定手段としては、複数の点灯手段のうちのいずれかをユーザに選択させるものであるとよい。この構成によれば、時間帯の指定を直感的に行えるようになる。
【発明の効果】
【００１５】
本発明によれば、ユーザの生活行動パターンの改善に有効な情報として、時間帯ごとの歩行量（歩行の程度）を提示することができる。しかも、本発明によれば、点灯手段の点灯状態を見るだけで時間帯ごとの歩行量を直感的に把握できる。
【発明を実施するための最良の形態】
【００１６】
以下に図面を参照して、この発明の好適な実施の形態を例示的に詳しく説明する。
【００１７】
＜歩数計の構成＞
図１は歩数計の外観を示す図であり、図２は歩数計の内部構成を示すブロック図である。図１及び図２に示すように、本実施形態の歩数計は、制御部１、操作部２、Ｉ／Ｆ３、歩行検知部４、メモリ５、表示部６、複数の点灯部７、報音部８、電源（不図示）などを備えている。
【００１８】
制御部１は、マイコンなどで構成されるもので、歩数の計測（カウント）、日時の管理及びその他各種の演算処理、並びに、表示部６、点灯部７及び報音部８の制御などを担っている。操作部２は、複数のボタンから構成されるもので、歩数のリセット、各種設定値の変更などを行うためのユーザインターフェイスである。Ｉ／Ｆ３は、パーソナル・コンピュータや体組成計などの外部機器とデータ通信を行うための外部インターフェイスである。歩行検知部４は、歩行を検知する機能であって、例えば、加速度センサ（振動センサ）、振り子などで構成される。メモリ５は、各種設定値や歩数などのデータを記憶する不揮発性の記憶媒体である。表示部６は、ＬＣＤ（液晶ディスプレイ）などで構成されるものであり、一日の総歩数や時間帯ごとの歩数などの情報が表示される。報音部８は、制御部１の制御に従って操作音や警告音を鳴らす機能である。
【００１９】
本実施形態において、複数の点灯部７はそれぞれ別体のＬＥＤ（発光ダイオード）で構成されている。点灯部７は２４個設けられており、それぞれの点灯部７は、０〜１時、１時〜２時、・・・、２２時〜２３時、２３時〜２４時というように、１日を１時間単位で区分した２４個の時間帯に対応付けられている。
【００２０】
図１に示すように、これらの点灯部７は、表示部６の周囲に円状に配列されている。このような配列により、点灯部７（ＬＥＤ）と時間帯との対応関係を直感的に理解できるようになっている。
【００２１】
＜歩数計の動作＞
まず、制御部１による歩数計測処理について説明する。ユーザが歩数計を携帯又は装着して歩行を行うと、その振動が歩行検知部４によって検知される。制御部１は歩行検知部４の検知結果に基づいて歩数を計測する。
【００２２】
このとき、制御部１は、時間帯別（本実施形態では１時間ごと）に歩数の集計を行い、その集計結果をメモリ５に記録していく。図３は、メモリ５に記録された歩数集計データの一例を示している。この例では、日付別及び時間帯別に歩数が記録されている。
【００２３】
次に制御部１による点灯制御について説明する。点灯部７は初期状態では消灯している。歩数計測中にその歩数が所定のしきい値（例えば、１０００歩）に達すると、制御部１がその時間帯に対応する点灯部７を点灯させてゆく。
【００２４】
図１は、２４個の点灯部７のうち４つが点灯している例を示している。ユーザは、一日の終わりなどに歩数計のＬＥＤ点灯状態を確認するだけで、自分自身の一日の生活行動パターンを簡単に振り返ることができる。例えば図１の点灯状態からは、朝と夕方の通勤時間帯には十分な歩行量があるが、日中や夜には歩行量が少ない、ということがわかる。これにより、努めて歩くようにすべき時間帯が明確となるので、ユーザ自身による生活行動パターンの改善への取り組みが容易になる。
【００２５】
上記点灯制御で用いられるしきい値は、メモリ５に設定されているものである。なお、しきい値の設定値は、目標とする歩行量に合わせてユーザが適宜変更可能である。
【００２６】
なお、上記実施形態は本発明の一具体例を例示したものにすぎない。本発明の範囲は上記実施形態に限られるものではなく、その技術思想の範囲内で種々の変形が可能である。以下、好ましい変形例を挙げる。
【００２７】
＜変形例１＞
変形例１では、第１色と第２色の２種類の点灯状態をとり得るデバイスを点灯部７として用いる。そして、制御部１が、５００歩以上で第１色点灯、１０００歩以上で第２色点灯というように、歩数に応じて点灯部７の点灯状態を変更する。
【００２８】
このような点灯制御によれば、点灯部７の点灯状態（点灯色など）を見るだけで時間帯ごとの歩行量の大小も大まかに確認できるので、生活行動パターンの問題点をより正確に把握できるようになる。
【００２９】
なお、点灯状態の種類としては、色が違うものだけでなく、明るさが違うものや点滅パターンの違うものなどを用いてもよい。また、２種類より多い点灯状態をとり得るデバイスを用いることも好ましい。点灯状態の切替に用いる歩数のしきい値についても、ユーザが設定可能であることが好ましい。
【００３０】
＜変形例２＞
図４は、変形例２に係る歩数計の外観を示している。この歩数計は、点灯部７の周囲にダイヤル式の時間帯指示部９を備えている。この時間帯指示部９は、ユーザに時間帯を指定させるための指定手段である。
【００３１】
ユーザが時間帯指示部９を回し、指示マーク９ａを所望の時間帯の点灯部７に合わせると、その時間帯が指定されたことになる。制御部１は、指定された時間帯の歩数をメモリ５から読み出し、表示部６に表示する。このとき、指定された時間帯の点灯部７を点滅させてもよい。
【００３２】
この構成によれば、ダイヤル式の時間帯指示部９を回し点灯部７の一つを選択するという直感的な操作で、その時間帯の歩数を確認することができる。
【００３３】
なお、ユーザに時間帯を指定させるための指示手段の具体的構成は、ダイヤル式のものに限られない。操作部２から指定するようにしてもよいし、点灯部７自体がボタンになっていてもよい。
【００３４】
＜その他の変形例＞
点灯部７としては、ＬＥＤに限らず、他のデバイスを用いてもよい。また、点灯部７と表示部６を一つのデバイスで構成してもよい。
【００３５】
上記実施形態では、歩数がしきい値に達した時点で点灯部７を点灯させているが、点灯制御を実行するタイミングはこれに限られない。例えば、時間帯が切り替わったタイミングで点灯制御を実行してもよい。あるいは、消費電力低減のために、通常はすべての点灯部７が消灯状態にあり、なんらかのユーザ操作があった時点で各時間帯の歩数を調べ、点灯制御を実行するようにしてもよい。
【００３６】
時間帯の定め方は任意である。例えば、１日を２時間単位や３時間単位で区分するようにしてもよいし、朝・昼・夕・夜のように４つの時間帯に区分してもよい。各々の時間帯が同じ時間幅をもつ必要もない。また、ユーザが各点灯部７に対応付ける時間帯を変更できるように構成されていてもよい。点灯部７の個数や配列は、時間帯の定め方に応じて適宜設計可能である。
【００３７】
操作部２で日時を指定すると、制御部１がメモリ５から指定された日時の歩数集計データを読み込み、そのデータを用いて各点灯部７の点灯状態を切り替えるようにしてもよい。これにより、今日一日の生活行動パターンだけでなく、過去の生活行動パターンを振り返ることができるようになる。
【図面の簡単な説明】
【００３８】
【図１】歩数計の外観を示す図。
【図２】歩数計の内部構成を示すブロック図。
【図３】歩数集計データの一例を示す図。
【図４】歩数計の変形例を示す図。
【符号の説明】
【００３９】
１  制御部
２  操作部
３  Ｉ／Ｆ
４  歩行検知部
５  メモリ
６  表示部
７  点灯部
８  報音部
９  時間帯指示部
９ａ  指示マーク
【図１】
2007334790.tif 000003
【図２】
2007334790.tif 000004
【図３】
2007334790.tif 000005
【図４】
2007334790.tif 000006